(57)【要約】【課題】適正に装着することのできる紙おむつを提供する。【解決手段】この紙おむつ１の全体形状は、略砂時計形状であって中央部に相対向する湾曲状の狭窄部２、２が設けられ、この狭窄部２、２の一端部側に後身頃３を有するとともに、他端部側に前身頃４を有している。後身頃３の両端部には、基端部をバックシート５に固着された一対のファスニングテープ６、６が設けられている。バックシート５の前身頃４側には、フロントターゲットテープ７が固着されている。このフロントターゲットテープ７は、白色であるバックシート５とは異なる色に着色されており、中央部から左右対称位置には、前記ファスニングテープ６、６を止着する際の基準線８とサイズ表示９とが印刷により複数付されている。【選択図】　　　　図１
2004121363.tif 000002
【特許請求の範囲】
【請求項１】
一端部に左右一対のファスニングテープを有し、このファスニングテープを当該紙おむつの他端部前面に設けられたフロントターゲットテープに止着することによって身体に装着する紙おむつにおいて、
前記フロントターゲットテープの中央部から左右対称位置に、前記ファスニングテープを止着する際の基準線とサイズ表示とを付したことを特徴とする紙おむつ。
【請求項２】
前記基準線とサイズ表示とを複数付したことを特徴とする請求項１記載の紙おむつ。
【請求項３】
前記基準線を前記フロントターゲットテープの延在方向に対して直交する方向に付したことを特徴とする請求項１又は２記載の紙おむつ。
【請求項４】
前記基準線を前記フロントターゲットテープの延在方向に対して斜状に付したことを特徴とする請求項１又は２記載の紙おむつ。
【請求項５】
前記サイズ表示は、前記紙おむつを装着される対象者のウエストサイズ又はヒップサイズの少なくともいずれか一方を示すものであることを特徴とする請求項１又は２記載の紙おむつ。
【請求項６】
前記サイズ表示を絵文字としたことを特徴とする請求項１又は２記載の紙おむつ。
【請求項７】
前記サイズ表示を蛍光色又は白抜き印刷としたことを特徴とする請求項１又は２記載の紙おむつ。
【請求項８】
前記フロントターゲットテープを着色したことを特徴とする請求項１又は２記載の紙おむつ。
【請求項９】
前記フロントターゲットテープに当該紙おむつのサイズと商品名とを付したことを特徴とする請求項１又は２記載の紙おむつ。
【請求項１０】
前記フロントターゲットテープに、当該紙おむつの交換した時刻を記入するための記入欄を設けたことを特徴とする請求項１又は２記載の紙おむつ。
【発明の詳細な説明】
【０００１】
【発明の属する技術分野】
本発明は、一端部に左右一対のファスニングテープを有し、このファスニングテープを当該紙おむつの他端部前面に設けられたフロントターゲットテープに止着することによって身体に装着する紙おむつに関する。
【０００２】
【従来の技術】
従来のテープ式紙おむつとしては、図７に示すものが市販されている。なお、図７は紙おむつを非着用面側から見た図である。すなわち、紙おむつ５０の後身頃５１には、その両側にファスニングテープ５２、５２が設けられ、前身頃５３の前面にフロントターゲットテープ５４が設けられている。このフロントターゲットテープ５４には、当該フロントターゲットテープ５４の中央部から左右対称位置に、基準線５４と▲１▼、▲２▼等の番号５５が印刷により付されている。
【０００３】
かかる構成において、装着に際して介護者は、紙おむつ５０の前見頃５３及び後身頃５１をそれぞれ着用者の身体に宛った後、ファスニングテープ５２、５２を腹側に持ち込んでフロントターゲットテープ５４に止着することにより、紙おむつ５０の装着を完了する。このとき、フロントターゲットテープ５４の中央部から左右対称位置に、基準線５４と番号５５が付されているので、これを目安にファスニングテープ５２、５２を止着することにより、紙おむつ５０を左右対称に装着することができる。
【０００４】
【発明が解決しようとする課題】
しかしながら、係る従来の紙おむつ５０にあっては、前述のように、紙おむつ５０を左右対称に装着することができるが、着用者の身体と紙おむつ５０との間に間隙を作らずに装着することや、過剰に締め過ぎないように装着することに関しては介護者の感覚に依存せざるを得ない。その結果、着用者の身体と紙おむつ５０との間に間隙を形成されて漏れが生じたり、過剰に締め過ぎて装着感を低下させる一因となる。また、番号５５の間隔はメーカー毎にことなることから、複数のメーカーのテープ式紙おむつを使用する者には装着形態のバラツキを助長させることにもなる。
【０００５】
本発明は、このような従来の課題に鑑みてなされたものであり、適正に装着することのできる紙おむつを提供することを目的とするものである。
【０００６】
【課題を解決するための手段】
前記課題を解決するために請求項１記載の発明にあっては、一端部に左右一対のファスニングテープを有し、このファスニングテープを当該紙おむつの他端部前面に設けられたフロントターゲットテープに止着することによって身体に装着する紙おむつにおいて、前記フロントターゲットテープの中央部から左右対称位置に、前記ファスニングテープを止着する際の基準線とサイズ表示とを付してある。
【０００７】
したがって、介護者は予め着用者のウエストやヒップのサイズを知っておき、ファスニングテープをフロントターゲットテープの着用者のサイズに対応するサイズ表示位置の基準線に合致させて止着する。これにより、紙おむつは、左右対称に装着されるとともに、着用者の身体と紙おむつとの間に間隙を作らずに装着でき、かつ過剰に締め過ぎないように装着することができる。
【０００８】
また、請求項２に係る発明にあっては、前記基準線とサイズ表示とを複数付してある。したがって、体型の異なる複数の着用者への対応が可能となる。
【０００９】
また、請求項３に係る発明にあっては、前記基準線を前記フロントターゲットテープの延在方向に対して直交する方向に付してある。したがって、ファスニングテープが水平方向に突出しているタイプにおいて、適正な装着が可能となる。
【００１０】
また、請求項４に係る発明にあっては、前記基準線を前記フロントターゲットテープの延在方向に対して斜状に付してある。したがって、ファスニングテープが斜状に突出しているタイプにおいて、適正な装着が可能となる。
【００１１】
また、請求項５に係る発明にあっては、前記サイズ表示は、前記紙おむつを装着される対象者のウエストサイズ又はヒップサイズの少なくともいずれか一方を示すものである。したがって、介護者は着用者のウエストサイズ又はヒップサイズの少なくともいずれか一方を知っておくことにより、適正な装着が可能となる。
【００１２】
また、請求項６に係る発明にあっては、前記サイズ表示を絵文字としてある。これにより、おむつ交換時における介護者と着用者との会話を絵文字によって促進することができる。
【００１３】
また、請求項７に係る発明にあっては、前記サイズ表示を蛍光色又は白抜き印刷としてある。これにより、サイズ表示を目立たせることができるとともに、白抜き印刷は老人に見えやすいことから、介護者が老人であった場合にも、適正な装着が可能となる。
【００１４】
また、請求項８に係る発明にあっては、前記フロントターゲットテープを着色してある。これにより、基準線とサイズ表示とが付されたフロントターゲットテープの存在が目立つものとなり、適正な装着を促進することができる。
【００１５】
また、請求項９に係る発明にあっては、前記フロントターゲットテープに当該紙おむつのサイズと商品名とを付してある。したがって、介護者は当該紙おむつを１枚だけ持って販売店に行き、これと同じものを欲しいことを意思表示することにより、同一の紙おむつを容易に購入することができる。
【００１６】
また、請求項１０に係る発明にあっては、前記フロントターゲットテープに、当該紙おむつの交換した時刻を記入するための記入欄を設けてある。したがって、介護者はこの記入欄に当該紙おむつの交換した時刻を記入しておくことにより、次回のおむつ交換時点を予測して適正時刻におむつを交換することができる。
【００１７】
【発明の実施の形態】
以下、本発明の実施の形態を図に従って説明する。
図１は、本発明の第１の実施の形態に係る紙おむつの非着用面側から見た展開状態における平面図である。この紙おむつ１の全体形状は、略砂時計形状であって中央部に相対向する湾曲状の狭窄部２、２が設けられ、この狭窄部２、２の一端部側に後身頃３を有するとともに、他端部側に前身頃４を有している。この紙おむつ１は、ポリエチレン等からなり不透液性を有する非着用面側（裏面側）のバックシート５と、不織布等からなり透液性を有する着用面側（表面側）のトップシート（図示せず）、及びこれらバックシート５とトップシートとの間に配置された吸収体（図示せず）等とからなる。
【００１８】
後身頃３の両端部には、基端部をバックシート５に固着された一対のファスニングテープ６、６が設けられている。このファスニングテープ６、６は、製品状態では紙おむつ１の着用面側に折り重ねられ、使用時には同図に示すように展開される。また、このファスニングテープ６、６には、この展開状態における面側に止着用粘着剤が塗布されている。
【００１９】
一方、バックシート５の前身頃４側には、フロントターゲットテープ７が固着されている。このフロントターゲットテープ７は、白色であるバックシート５とは異なる色に着色されており、中央部から左右対称位置には、前記ファスニングテープ６、６を止着する際の基準線８とサイズ表示９とが印刷により複数付されている。
【００２０】
前記基準線８は、フロントターゲットテープ７の延在方向Ｌに対して直交する方向に付されており、サイズ表示９はこの紙おむつ１を装着される対象者のウエストサイズである。また、サイズ表示９は、蛍光色又は白抜き印刷で形成されている。さらに、フロントターゲットテープ７の中央部には、当該紙おむつ１の商品名１０、当該紙おむつ１のサイズ１１、及び当該紙おむつ１の交換した時刻を記入するための記入欄１２が設けられている。
【００２１】
以上の構成に係る本実施の形態において、紙おむつ１を着用者の身体に装着するに際しては、ファスニングテープ６、６を展開状態にし、紙おむつ１が収縮している場合にはこれを伸ばし、後身頃３を身体の背下部に宛う。しかる後に、前身頃４を身体の腹側に折り返してその両端部を、身体の腹に仮着されているファスニングテープ６、６上に押し付ける。
【００２２】
このとき、介護者は予め着用者のウエストのサイズを知っておき、ファスニングテープ６、６の先端部をフロントターゲットテープ７の着用者のサイズに対応するサイズ表示９位置の基準線８に応じた位置に合致させる。これにより、紙おむつ１は、左右対称に装着されるとともに、着用者の身体と紙おむつ１との間に間隙を作らずに装着でき、かつ過剰に締め過ぎないように装着することができる。
【００２３】
しかも、本実施の形態に係る紙おむつ１にあっては、フロントターゲットテープ７にウエストサイズ「６５」と「７２」のサイズ表示９と基準線８とが印刷されていることから、ウエスト体型の異なる複数の着用者への対応が可能となる。また、基準線８をフロントターゲットテープ７の延在方向Ｌに対して直交する方向に付してあることから、図示のようにファスニングテープ６が水平方向に突出しているタイプにおいて、適正な装着が可能となる。
【００２４】
さらに、サイズ表示９を蛍光色又は白抜き印刷としてあることから、サイズ表示９を目立たせることができるとともに、白抜き印刷は老人に見えやすいことから、介護者が老人であった場合にも、適正な装着が可能となる。また、フロントターゲットテープ７を着色してあることから、基準線８とサイズ表示９とが付されたフロントターゲットテープ７の存在が目立つものとなり、適正な装着を促進することができる。
【００２５】
そして、このように紙おむつ１の装着を完了したならば（あるいは、装着する直前に）、介護者は記入欄１２に、当該紙おむつ１の交換した時刻を記入する。これにより、介護者は後で記入欄１２に記入されている時刻を視認することにより、次回のおむつ交換時点を予測して適正時刻におむつを交換することができる。
【００２６】
また、フロントターゲットテープ７には、フロントターゲットテープ７の中央部には、当該紙おむつ１の商品名１０、当該紙おむつ１のサイズ１１が印刷されている。よって、介護者は当該紙おむつを１枚だけ持って販売店に行き、これと同じものを欲しいことを意思表示することにより、同一の紙おむつを容易に購入することができる。
【００２７】
図２は、第２の実施の形態に係る紙おむつの非着用面側から見た展開状態における要部平面図である。この紙おむつ１のフロントターゲットテープ７には、前記基準線８が、フロントターゲットテープ７の延在方向Ｌに対して斜状に付されている。他の構成は前述した実施の形態と同様であるので、同一部分に同一符号を付して説明を省略する。係る実施の形態によれば、ファスニングテープ６（図１参照）が斜状に突出しているタイプにおいて、介護者が前述した手順を装着を行うことにより、紙おむつ１の適正な装着が可能となる。
【００２８】
図３は、本発明の第３の実施の形態にかかる紙おむつのフロントターゲットテープ７を示すものであり、このフロントターゲットテープ７には、前記基準線８とサイズ表示９とに対応させて、▲１▼〜▲３▼の番号１３と、ペンギンの絵１４、パンダの絵１５、像の絵１６が印刷されているとともに、１〜１２の数字を有する時刻記入欄１７が設けられている。
【００２９】
したがって、係る実施の形態によれば、ペンギンの絵１４、パンダの絵１５、像の絵１６からなる絵文字により、おむつ交換時における介護者と着用者との会話を絵文字によって促進することができる。また、紙おむつの装着を完了したならば（あるいは、装着する直前に）、介護者は時刻記入欄１７の当該紙おむつの交換した時刻に○で囲む記入を行う。これにより、介護者は後で記入欄１７に記入されている時刻を視認することにより、次回のおむつ交換時点を予測して適正時刻におむつを交換することができる。
【００３０】
図４は、本発明の第４の実施の形態にかかる紙おむつのフロントターゲットテープ７を示すものであり、このフロントターゲットテープ７には、前記基準線８とサイズ表示９とに対応させて、▲１▼〜▲３▼の番号１３と、サイズに応じて異なる数の星マーク１８が印刷されているとともに、１〜１２の数字を有する時計図形１９が印刷されている。
【００３１】
したがって、係る実施の形態によれば、介護者は星マーク１８の数に応じてサイズの相違を容易に認識することができるとともに、紙おむつの装着を完了したならば（あるいは、装着する直前に）、介護者は時計図形１９内に当該紙おむつの交換した時刻を示す長針２０及び短針２１を記入する。これにより、介護者は後では時計図形１９内の長針２０及び短針２１から時刻を視認することにより、次回のおむつ交換時点を予測して適正時刻におむつを交換することができる。
【００３２】
図５は、本発明の第５の実施の形態にかかる紙おむつのフロントターゲットテープ７右部分を示すものであり、左部分は対象である。このフロントターゲットテープ７には、前記基準線８とサイズ表示９とに対応させて、▲１▼〜▲３▼の番号１３と、サイズに応じて三日月２２、半月２３、満月２４が印刷されている。
【００３３】
したがって、係る実施の形態によれば、介護者は三日月２２、半月２３、満月２４に応じてサイズの相違を容易に認識することができるとともに、おむつ交換時における介護者と着用者との会話を三日月２２、半月２３、満月２４によって促進することができる。
【００３４】
図６は、本発明の第６の実施の形態にかかる紙おむつのフロントターゲットテープ７右部分を示すものであり、左部分は対象である。このフロントターゲットテープ７には、前記基準線８とサイズ表示９とに対応させて、▲１▼〜▲３▼の番号１３と、サイズの小さい方から大きい方に順次ウサギの絵２５、馬の絵２６、像の絵２７が印刷されている。
【００３５】
したがって、係る実施の形態によれば、介護者はウサギの絵２５、馬の絵２６、像の絵２７に応じてサイズの相違を容易に認識することができるとともに、おむつ交換時における介護者と着用者との会話をウサギの絵２５、馬の絵２６、像の絵２７によって促進することができる。
【００３６】
なお、前記実施の形態においては、サイズ表示９を着用者のウエストサイズとしたが、ヒップサイズでもよく、さらにはウエストサイズといヒップサイズの双方を付してもよい。このようにすることにより、介護者は着用者のウエストサイズ又はヒップサイズの少なくともいずれか一方を知っていれば、適正な装着が可能となる。
【００３７】
【発明の効果】
以上説明したように本発明は、フロントターゲットテープの中央部から左右対称位置に、ファスニングテープを止着する際の基準線とサイズ表示とを付すようにしたことから、紙おむつを左右対称に装着することができるのみならず、着用者の身体と紙おむつとの間に間隙を作らずに装着することができ、かつ過剰に締め過ぎないように装着することができる。よって、紙おむつの装着適正要件を全て充足することが可能となる。
【図面の簡単な説明】
【図１】本発明の第１の実施の形態に係る紙おむつの非着用面側から見た展開状態における平面図である。
【図２】本発明の第２の実施の形態に係る紙おむつの非着用面側から見た展開状態における要部平面図である。
【図３】本発明の第３の実施の形態に係る紙おむつのフロントターゲットテープを示す平面図である。
【図４】本発明の第４の実施の形態に係る紙おむつのフロントターゲットテープを示す平面図である。
【図５】本発明の第５の実施の形態に係る紙おむつのフロントターゲットテープを示す右部分平面図である。
【図６】本発明の第６の実施の形態に係る紙おむつのフロントターゲットテープを示す右部分平面図である。
【図７】従来の紙おむつの非着用面側から見た展開状態における平面図である。
【符号の説明】
１　　紙おむつ
２　　狭窄部
３　　後身頃
４　　前身頃
５　　バックシート
６　　ファスニングテープ
７　　フロントターゲットテープ
８　　サイズ表示
８　　基準線
１０　　商品名
１１　　サイズ
１２　　記入欄
Ｌ　　延在方向
【図１】
2004121363.tif 000003
【図２】
2004121363.tif 000004
【図３】
2004121363.tif 000005
【図４】
2004121363.tif 000006
【図５】
2004121363.tif 000007
【図６】
2004121363.tif 000008
【図７】
2004121363.tif 000009